(57)【要約】【課題】３Ｄ画像を表示する映像表示装置において表示面の３Ｄ画像の立体映像が破綻する問題に対処する。【解決手段】実施の形態の映像表示装置は、余白部生成手段及び３Ｄ画像生成手段を備えている。余白部生成手段は、３Ｄ画像を作るための奥行き情報を含めて入力された３Ｄ画像信号に基づく３Ｄ画像の周辺に、余白部を追加する。３Ｄ画像生成手段は、前記奥行き情報を含む前記３Ｄ画像信号に基づいて、前記余白部にはみ出した３Ｄ画像を生成する。【選択図】図３
2012085316.tif 000002
【特許請求の範囲】
【請求項１】
３Ｄ画像を作るための奥行き情報を含めて入力された３Ｄ画像信号に基づく３Ｄ画像の周辺に、余白部を追加する余白部生成手段と、
前記奥行き情報を含む前記３Ｄ画像信号に基づいて、前記余白部にはみ出した３Ｄ画像を生成する３Ｄ画像生成手段と
を備えた映像表示装置。
【請求項２】
入力される２Ｄ画像信号を、前記奥行き情報を含む前記３Ｄ画像信号へ変換する２Ｄ・３Ｄ画像変換手段を更に備え、この変換された３Ｄ画像信号を前記余白部生成手段は入力する請求項１に記載の映像表示装置。
【請求項３】
入力される２Ｄ画像信号の周辺に余白部を追加する余白部生成手段と、
前記余白部生成手段の出力を、３Ｄ画像を作るための奥行き情報を含む３Ｄ画像信号へ変換する２Ｄ・３Ｄ画像変換手段と、
前記奥行き情報を含む前記３Ｄ画像信号に基づいて、前記余白部にはみ出した３Ｄ画像を生成する３Ｄ画像生成手段と
備えた映像表示装置。
【請求項４】
前記生成された３Ｄ画像を表示する映像表示部を更に備えたことを特徴とする請求項１乃至請求項３の何れか１項に記載の映像表示装置。
【請求項５】
前記映像表示部は前記入力される２Ｄ画像信号または前記入力される３Ｄ画像信号よりも高い解像度を持つ請求項４に記載の映像表示装置。
【請求項６】
３Ｄ画像を作るための奥行き情報を含めて入力される３Ｄ画像信号の周辺に、余白部を追加するステップと、
前記奥行き情報を含む前記３Ｄ画像信号に基づいて、前記余白部にはみ出した３Ｄ画像を生成するステップと
を有する映像表示方法。
【請求項７】
３Ｄ画像を作るための奥行き情報を含めて入力される３Ｄ画像信号に基づいて、前記奥行き情報を用いずに前記３Ｄ画像信号を２Ｄ表示した際の表示領域の外にはみ出しのある３Ｄ画像を生成する３Ｄ画像生成手段と、
前記生成した３Ｄ画像を前記はみ出しを含め表示する表示手段と
を備えた映像表示装置。
【請求項８】
入力された２Ｄ画像信号を、３Ｄ画像作成用の奥行き情報を含む３Ｄ画像信号へ変換する２Ｄ・３Ｄ画像変換手段と、
前記変換された３Ｄ画像信号に基づいて、前記３Ｄ画像信号を２Ｄ表示した際の表示領域の外にはみ出しのある３Ｄ画像を生成する３Ｄ画像生成手段と、
前記生成した３Ｄ画像を前記はみ出しを含め表示する表示手段と
を備えた映像表示装置。
【請求項９】
３Ｄ画像を作るための奥行き情報を含めて入力された３Ｄ画像信号に基づく３Ｄ画像の周辺に、領域を追加する領域追加手段と、
前記奥行き情報を含む前記３Ｄ画像信号に基づいて、前記領域にはみ出した３Ｄ画像を生成する３Ｄ画像生成手段と
を備えた映像表示装置。
【発明の詳細な説明】
【技術分野】
【０００１】
本発明の実施形態は、３Ｄ画像を表示する映像表示装置及び映像表示方法に関する。
【背景技術】
【０００２】
現在、表示面上に右眼用画像と左眼用画像との間に視差を有する３Ｄ画像を表示して立体映像を鑑賞する映像表示装置では、３Ｄ画像のうち右眼用画像のみを鑑賞者の右目に到達させ、かつ３Ｄ画像のうち左眼用画像のみを鑑賞者の左目に到達させる例えば特殊な眼鏡その他の３Ｄ画像選択手段と組み合わせて鑑賞する。
【０００３】
例えば、特許文献１は、視差分割方式に対応した３Ｄ画像をそのまま表示すると、微妙にずれた２枚の映像が交互に表示する不自然な映像になるため、右眼用、左眼用の画像を左右に配置するステレオペア画像を出力することを特徴とする。
【０００４】
しかしながら、特に表示面より前面に像を結ぶ３Ｄ画像による立体映像では、像が表示面の枠付近に存在する場合に、像の３Ｄ画像の片方が表示できずに立体映像が破綻してしまうため、表示面のサイズに対し、３Ｄ画像による立体表示の出来る範囲が制限されてしまう問題があった。
【０００５】
即ち３Ｄ画像を表示する映像表示装置において表示面の３Ｄ画像の立体映像が破綻する問題に対処すべきという要望があるが、かかる要望を実現するための手段は知られていない。
【先行技術文献】
【特許文献】
【０００６】
【特許文献１】特開２００５−２５２４５９号公報
【発明の概要】
【発明が解決しようとする課題】
【０００７】
本発明は、３Ｄ画像を表示する表示面の３Ｄ画像の立体映像が破綻する問題に対処する
ことができる映像表示装置及び映像表示方法を提供することを目的とする。
【課題を解決するための手段】
【０００８】
上記課題を解決するために、実施の形態の映像表示装置は、余白部生成手段及び３Ｄ画像生成手段を備えている。余白部生成手段は、３Ｄ画像を作るための奥行き情報を含めて入力された３Ｄ画像信号に基づく３Ｄ画像の周辺に、余白部を追加する。３Ｄ画像生成手段は、前記奥行き情報を含む前記３Ｄ画像信号に基づいて、前記余白部にはみ出した３Ｄ画像を生成する。
【図面の簡単な説明】
【０００９】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態の映像表示装置 第１の実施例を示すブロック構成図。
【図４】同実施形態の効果の例を示す図。
【図５】実施形態の映像表示装置 第２の実施例を示すブロック構成図。
【図６】実施形態の映像表示装置 第３の実施例を示すブロック構成図。
【図７】実施形態の映像表示装置 第４の実施例を示すブロック構成図。
【図８】従来の映像表示装置の実施例に用いられるブロック構成図。
【図９】従来の映像表示装置の課題を示す図。
【発明を実施するための形態】
【００１０】
以下、本発明の実施形態を説明する。
（第１の実施形態）
本発明による第１の実施形態を図１乃至図４及び図８、図９を参照して説明する。
図１は、この発明の映像表示装置を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１は、ＬＡＮ（Local Area Network）端子１２２を備えている。
このＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００１３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００１４】
チューナ２４５ａは、制御部２６１からの制御信号により所望のチャンネルの放送信号を選局し、この選局された放送信号をＰＳＫ（Phase Shift Keying）復調器２４５ｂに出力する。
【００１５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００１６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００１７】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００１８】
チューナ２５０ａは、制御部２６１からの制御信号により所望のチャンネルの放送信号
を選局し、この選局された放送信号をＯＦＤＭ（Orthogonal Frequency Division Multiplexing）復調器２５０ｂに出力する。
【００１９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２１】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００２２】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００２３】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００２４】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００２５】
また、字幕放送による字幕を表示するとき、グラフィック処理部２５４は、制御部２６１からの制御による字幕情報に基づき、映像信号上に字幕情報を重畳する処理を行う。
【００２６】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２７】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２８】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００２９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３０】
さらに、上記制御部２６１は、通信Ｉ／Ｆ２７０を介してＬＡＮ端子１２２に接続されている。これにより、制御部２６１は、ＬＡＮ端子１２２に接続された各機器（図１参照）と、通信Ｉ／Ｆ２７０を介して情報伝送することができる。
【００３１】
ここで従来の映像表示装置の構成について説明する。図８に示すように、映像表示部の表示方法に合わせて３Ｄ画像を生成する３Ｄ画像生成手段１０１と、映像表示部１０２から構成されている。映像表示部１０２は、３Ｄ画像生成手段１０１の出力を表示する。表示された３Ｄ画像のうち右眼用画像のみを鑑賞者の右目に到達させ、かつ３Ｄ画像のうち左眼用画像のみを鑑賞者の左目に到達させる３Ｄ画像選択手段と組み合わせて鑑賞する。この３Ｄ画像選択手段としては、例えば、眼鏡を用いることができ、右眼用と左眼用とで異なる回転方向の円偏光光を透過する円偏光眼鏡や、右眼用と左眼用とが交互に、透過状態及び非透過状態へ変化する液晶シャッター眼鏡などが用いられる。これら３Ｄ画像選択手段と組み合わされる映像表示部１０２に対応した３Ｄ画像を３Ｄ画像生成手段１０１で生成する。前記の例であれば、表示部前面に配置された円偏光シートの並びに合わせて、右眼用と左眼用の３Ｄ画像を並べる。また、液晶シャッター方式の場合は表示に合わせてシャッターを同期させる。この同期のための信号をＴＶから出す必要がある。
【００３２】
次に、従来の映像表示装置での課題を説明する。図９に示すように、従来の映像表示装置では、特に表示面より前面に像を結ぶ３Ｄ画像による立体映像にて、像が表示枠付近に存在する場合に、像の３Ｄ画像の片方が表示枠内に収まらずに欠けてしまい立体感が失われてしまうため、表示面のサイズに対し、３Ｄ画像による立体表示の出来る範囲が制限されてしまう問題があった。特に画面が左右にパンする映像では、立体視される像が画面端で突如、立体感を失ってしまい、立体視に影響を与えるだけでなく、目の疲労にも影響を与えてしまう。
【００３３】
そこで本実施形態では、表示面より小サイズで映像の画枠を設定し、３Ｄ画像を生成する際に、画枠外にも３Ｄ画像を表示可能にすることにより、３Ｄ画像による立体表示の出来る範囲の制限を改善する映像表示装置について以下に説明する。
【００３４】
実施形態の映像表示装置の第１の構成について説明する。図３に示すように、入力３Ｄ画像信号を所望のサイズに変換するスケーリング手段２０１と、前記サイズ変換された画像信号の周辺に余白部を追加する余白部生成手段２０２と、前記余白部生成手段の出力から３Ｄ画像を生成する３Ｄ画像生成手段２０３と、前記作成された３Ｄ画像を表示する映像表示部２０４から構成されている。前記入力３Ｄ画像信号は、２Ｄ画像信号と視差の信号を含むものである。スケーリング手段２０１、余白部生成手段２０２および３Ｄ画像生成手段２０３は、図２の制御部２６１に制御されて動作する映像処理部２５８に対応している。また映像表示部２０４は映像表示器１１４に対応している。
【００３５】
次に、図３の構成の動作について図４も参照して説明する。まずスケーリング手段２０１に入力して、表示面上に作成される最大の視差間隔分、表示面サイズより左右にブランクが空くサイズにスケーリングを行う（図４（ａ）から図４（ｂ）の状態へ移行する）。このスケーリング分、視差も小さくする必要がある。その後余白部生成手段２０２にて、サイズ変換された画像信号の周辺に余白部を追加して、表示面サイズと同サイズの画像を作成する（図４（ｃ）の状態へ移行する）。余白部生成手段の出力は３Ｄ画像生成手段２０３に入力し、余白部は視差の無い領域とし、３Ｄ画像信号に含まれる奥行き情報を元に、映像表示部の表示方法に合わせた３Ｄ画像を生成する（図４（ｄ）の状態へ移行する）。作成された３Ｄ画像は映像表示部２０４にて表示する。このとき画像スケーリングサイズ、及び余白部のサイズや表示内容は任意に設定できるものとする。
【００３６】
入力３Ｄ画像信号に対する立体視可能な３Ｄ画像にて、画面端で３Ｄ画像の片方が欠けてしまう可能性がある場合、あらかじめ表示面に対し画枠を狭めているため、画枠外にも３Ｄ画像の生成が可能になり立体感を損なうことがなくなる。前述した従来構成の課題であった、表示面のサイズに対し３Ｄ画像による立体表示の出来る範囲が制限されてしまう問題が解決される。
【００３７】
（第２の実施形態）
次に、本発明による第２の実施形態を図１乃至図２及び図５を参照して説明する。実施形態１と共通する部分は説明を省略する。
図５の実施形態の映像表示装置の第２の構成について説明する。図５に示すように、入力２Ｄ画像信号を所望のサイズに変換するスケーリング手段３０１と、前記サイズ変換された画像信号の周辺に余白部を追加する余白部生成手段３０２と、前記余白部生成手段の出力２Ｄ画像信号から３Ｄ画像信号を生成する２Ｄ・３Ｄ画像変換手段３０３と、生成された３Ｄ画像から映像表示部の表示方法に合わせて３Ｄ画像を生成する３Ｄ画像生成手段３０４と、前記作成された３Ｄ画像を表示する映像表示部３０５から構成されている。
【００３８】
次に、図５の構成の動作について説明する。入力２Ｄ画像信号に対し、第１の構成と同様にスケーリング及び余白部の追加を行う。余白部生成手段の出力は２Ｄ・３Ｄ画像変換手段３０３に入力され立体視鑑賞用３Ｄ画像信号が生成される。例えば画像の動き情報や、画像の特徴からパターンマッチングにより奥行き情報を算出する方法などが挙げられる。このとき、余白部は視差の無い領域として算出を行う。生成された３Ｄ画像信号は３Ｄ画像生成手段３０４に入力され、３Ｄ画像信号に含まれる奥行き情報を元に、前述したように３Ｄ画像選択手段と組み合わされる映像表示部に対応した３Ｄ画像を生成する。作成された３Ｄ画像は映像表示部３０５にて表示する。このとき画像スケーリングサイズ、及び余白部のサイズや表示内容は任意に設定できるものとする。この構成により２Ｄ・３Ｄ画像変換手段を含む構成でも、本提案の映像表示装置の第１の構成と同等の効果が得られる。
【００３９】
（第３の実施形態）
次に、本発明による第３の実施形態を図１乃至図２及び図６を参照して説明する。実施形態１、２と共通する部分は説明を省略する。
図６の実施形態の映像表示装置の第３の構成について説明する。図６に示すように、入力３Ｄ画像信号を所望のサイズに変換するスケーリング手段４０１と、前記サイズ変換された画像信号の周辺に余白部を追加する余白部生成手段４０２と、前記余白部生成手段の出力から３Ｄ画像を生成する３Ｄ画像生成手段４０３と、前記作成された３Ｄ画像を表示し、かつ入力画像よりも高い解像度を持つ高解像度映像表示部映像表示部４０４から構成されている。
【００４０】
次に、図６の構成の動作について説明する。提案する映像表示装置の第１の構成との違いは高解像度映像表示部４０４にある。入力画像の解像度と映像表示部の解像度が同一である場合、余白部を追加するために、スケーリング手段４０１により、画像を縮小する必要があるが、高解像度映像表示部４０４に表示することで、表示面のサイズに対し、３Ｄ画像による立体表示の出来る範囲が制限されてしまう問題が解決され、さらに縮小スケーリングによる解像度劣化がなく、より精細な映像を鑑賞することができる。
【００４１】
（第４の実施形態）
次に、本発明による第４の実施形態を図１乃至図２及び図７を参照して説明する。実施形態１〜３と共通する部分は説明を省略する。
図７の実施形態の映像表示装置の第４の構成について説明する。図７に示すように、入力２Ｄ画像信号を所望のサイズに変換するスケーリング手段５０１と、前記サイズ変換された画像信号の周辺に余白部を追加する余白部生成手段５０２と、前記余白部生成手段の出力２Ｄ画像信号から３Ｄ画像信号を生成する２Ｄ・３Ｄ画像変換手段５０３と、生成された３Ｄ画像から映像表示部の表示方法に合わせて３Ｄ画像を生成する３Ｄ画像生成手段５０４と、前記作成された３Ｄ画像を表示し、かつ入力画像よりも高い解像度を持つ高解像度映像表示部映像表示部５０５から構成されている。動作は第１の構成と第３の構成との差異と同じく、第２の構成に対し、３Ｄ画像による立体表示の出来る範囲が制限されてしまう問題が解決され、縮小スケーリングによる解像度劣化がなく、より精細な映像を鑑賞することができる。
【００４２】
以上の第１乃至第４の実施形態の変形例として、前記スケーリング手段にて設定される画像サイズ、及び余白部として追加される画像の内容は任意設定可能とする。
表示面上に右眼用画像と左眼用画像との視差を有する３Ｄ画像を表示して立体映像を鑑賞する映像表示装置において、３Ｄ画像のうち右眼用画像のみを鑑賞者の右目に到達させ、かつ３Ｄ画像のうち左眼用画像のみを鑑賞者の左目に到達させる３Ｄ画像選択手段と組み合わせることで立体視鑑賞することができる。ただし、従来の映像表示装置では、表示面より前面に像を結ぶ３Ｄ画像による立体映像で、且つ像が表示面の枠付近に存在する場合に、像の３Ｄ画像の片方が表示できずに立体映像が破綻してしまうため、表示面のサイズに対し、３Ｄ画像による立体表示の出来る範囲が制限されてしまう問題があった。
【００４３】
そこで本実施例では以下のような形態にて、表示面より小サイズで画枠を設定し、３Ｄ画像を生成する際に画枠外に３Ｄ画像を表示可能にすることにより、３Ｄ画像による立体表示の出来る範囲の制限を改善することができる。さらに入力画像よりも解像度の高解像度映像表示部を組み合わせることで、画像サイズ変更による劣化がなく、より高精細な映像を鑑賞することができる。
【００４４】
（１）入力３Ｄ画像を所望のサイズに変換するスケーリング手段と、前記サイズ変換された画像の周辺に余白部を追加する余白部生成手段と、前記余白部生成手段の出力から、余白部は視差の無い領域とし映像表示部の表示方法に合わせて３Ｄ画像を生成する３Ｄ画像生成手段と、前記作成された３Ｄ画像を表示する映像表示部を有することを特徴とする映像表示装置。
【００４５】
（２）前記（１）の映像表示装置において、入力３Ｄ画像が２Ｄ画像と奥行き情報により構成される画像であることを特徴とする映像表示装置。
（３）入力２Ｄ画像を所望のサイズに変換するスケーリング手段と、前記サイズ変換された画像の周辺に余白部を追加する余白部生成手段と、前記余白部生成手段の出力から、余白部は視差の無い領域とし３Ｄ画像信号を作成する２Ｄ・３Ｄ画像変換手段と、前記作成された３Ｄ画像信号から映像表示部の表示方法に合わせて３Ｄ画像を生成する３Ｄ画像生成手段と、前記作成された３Ｄ画像を表示する映像表示部を有することを特徴とする映像表示装置。
【００４６】
（４）入力３Ｄ画像を所望のサイズに変換するスケーリング手段と、前記サイズ変換された画像の周辺に余白部を追加する余白部生成手段と、前記余白部生成手段の出力から、余白部は視差の無い領域とし映像表示部の表示方法に合わせて３Ｄ画像を生成する３Ｄ画像生成手段と、前記作成された３Ｄ画像を表示する、入力画像信号より解像度の高い高解像度映像表示部を有することを特徴とする映像表示装置。
【００４７】
（５）入力２Ｄ画像を所望のサイズに変換するスケーリング手段と、前記サイズ変換された画像の周辺に余白部を追加する余白部生成手段と、前記余白部生成手段の出力から、余白部は視差の無い領域とし３Ｄ画像信号を作成する２Ｄ・３Ｄ画像変換手段と、前記作成された３Ｄ画像信号から映像表示部の表示方法に合わせて３Ｄ画像を生成する３Ｄ画像生成手段と、前記作成された３Ｄ画像を表示する、入力画像信号より解像度の高い高解像度映像表示部を有することを特徴とする映像表示装置。
【００４８】
なお、この発明は上記実施形態に限定されるものではなく、この外その要旨を逸脱しない範囲で種々変形して実施することができる。余白部を追加せずとも例えば、パンの形態で２Ｄであれば画面の左右に映像が表示されない領域（黒帯、額縁）があるとき、画面の縮小もしないでこの領域に、３Ｄであれば不足している３Ｄ画像信号の一方（右目用または左目用）を表示する構成をとってもよい。
【００４９】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５０】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２０１…３Ｄ画像生成手段、２０２…２Ｄ画像抽出手段、２０３…スケーリング手段、２０４…スケーリング手段、２０５…画像混合手段、２０６…映像表示部、３０１…２Ｄ・３Ｄ画像変換手段、３０２…３Ｄ画像生成手段、３０３…スケーリング手段、３０４…スケーリング手段、３０５…画像混合手段、３０６…映像表示部、４０１…画像選択手段、４０２…３Ｄ画像生成手段、４０３…スケーリング手段、４０４…スケーリング手段、４０５…画像混合手段、４０６…映像表示部、５０１…３Ｄ画像生成手段、５０２…２Ｄ画像抽出手段、５０３…スケーリング手段、５０４…スケーリング手段、５０５…画像混合手段、５０６…高解像度映像表示部。
【図１】
2012085316.tif 000003
【図２】
2012085316.tif 000004
【図３】
2012085316.tif 000005
【図４】
2012085316.tif 000006
【図５】
2012085316.tif 000007
【図６】
2012085316.tif 000008
【図７】
2012085316.tif 000009
【図８】
2012085316.tif 000010
【図９】
2012085316.tif 000011